(57)【要約】【課題】  軽量化を図ると共に撮像素子の良好な性能を確保する。【解決手段】  被写体を撮像する撮像光学系と撮像光学系が配置された筐体とを有する鏡筒ユニットと、撮像光学系によって撮像された被写体の像を光電変換する撮像素子と撮像素子を保持する素子ホルダーとを有する素子ユニットとを備え、筐体が樹脂材料によって形成され、素子ホルダーが筐体と異なる材料によって形成された。これにより、撮像光学系が配置された筐体が樹脂材料によって形成されると共に撮像素子を保持する素子ホルダーが筐体とは異なる材料によって形成されるため、軽量化を図ることができると共に撮像素子の良好な性能を確保することができる。【選択図】図６
2016132656.tif 000002
【特許請求の範囲】
【請求項１】
被写体を撮像する撮像光学系と前記撮像光学系が配置された筐体とを有する鏡筒ユニットと、
前記撮像光学系によって撮像された被写体の像を光電変換する撮像素子と前記撮像素子を保持する素子ホルダーとを有する素子ユニットとを備え、
前記筐体が樹脂材料によって形成され、
前記素子ホルダーが前記筐体と異なる材料によって形成された
医療用観察装置のレンズ鏡筒。
【請求項２】
前記撮像光学系に少なくとも一つのレンズが設けられ、
前記レンズの少なくとも一つを保持し光軸方向へ移動される移動枠が設けられ、
前記移動枠が樹脂材料によって形成された
請求項１に記載の医療用観察装置のレンズ鏡筒。
【請求項３】
前記移動枠の移動に伴って前記移動枠に保持された前記レンズが光軸方向へ移動されてオートフォーカシングが行われる
請求項２に記載の医療用観察装置のレンズ鏡筒。
【請求項４】
軸方向が光軸方向にされた駆動軸と、
前記駆動軸に平行な状態で配置されたガイド軸とが設けられ、
前記移動枠が前記駆動軸と前記ガイド軸に支持され、
前記移動枠が前記駆動軸から伝達される駆動力によって前記ガイド軸に案内されて移動される
請求項２に記載の医療用観察装置のレンズ鏡筒。
【請求項５】
前記鏡筒ユニットと前記素子ユニットの光軸方向に直交する面内における位置決めを行う少なくとも二つの偏心ピンが設けられ、
前記鏡筒ユニットに少なくとも二つのピン挿入穴が形成され、
前記素子ユニットに少なくとも二つのピン挿通孔が形成され、
前記偏心ピンは一部が前記ピン挿入穴に挿入され他の一部が前記ピン挿通孔に挿通され、
前記偏心ピンの少なくとも一つが軸回り方向へ回転されて前記鏡筒ユニットに対する前記素子ユニットの位置が調整され、
少なくとも一つの前記ピン挿通孔が長穴状に形成された
請求項１に記載の医療用観察装置のレンズ鏡筒。
【請求項６】
前記偏心ピンには前記ピン挿通孔に挿通される挿通軸部と前記ピン挿入穴に挿入され前記挿通軸部に対して偏心された偏心軸部とが設けられ、
全ての前記偏心ピンにおいて前記挿通軸部に対する前記偏心軸部の偏心量が同じにされた
請求項５に記載の医療用観察装置のレンズ鏡筒。
【請求項７】
前記偏心ピンによる前記鏡筒ユニットと前記素子ユニットの位置決めが行われた状態において、
前記鏡筒ユニットと前記素子ユニットが光軸方向において締結用ネジによって結合された
請求項５に記載の医療用観察装置のレンズ鏡筒。
【請求項８】
前記締結用ネジに前記素子ユニットを前記鏡筒ユニットに押し付ける押さえバネが支持された
請求項７に記載の医療用観察装置のレンズ鏡筒。
【請求項９】
前記鏡筒ユニットに前記締結用ネジが螺合されるネジ穴が形成され、
前記素子ユニットに前記締結用ネジが挿通されるネジ挿通孔が形成され、
前記ネジ挿通孔の径が前記締結用ネジの径より大きくされた
請求項８に記載の医療用観察装置のレンズ鏡筒。
【請求項１０】
被写体を撮像する撮像光学系と前記撮像光学系が配置された筐体とを有する鏡筒ユニットと、
前記撮像光学系によって撮像された被写体の像を光電変換する撮像素子と前記撮像素子を保持する素子ホルダーとを有する素子ユニットとを備え、
前記筐体が樹脂材料によって形成され、
前記素子ホルダーが前記筐体と異なる材料によって形成された
医療用観察装置。
【発明の詳細な説明】
【技術分野】
【０００１】
本技術は被写体を撮像する撮像光学系を有する鏡筒ユニットと撮像素子を有する素子ユニットとを備え医療分野において用いられる医療用観察装置及び医療用観察装置のレンズ鏡筒についての技術分野に関する。
【先行技術文献】
【特許文献】
【０００２】
【特許文献１】特開２００４−８１２３１号公報
【特許文献２】特開２０１１−１０４０６８号公報
【背景技術】
【０００３】
例えば、病院等の医療機関における手術や治療や検査等の施術において、患者の患部を観察することにより施術の効率化を図る医療用観察装置がある。このような医療用観察装置は、例えば、ロボットアーム等の先端部に取り付けられ、アームを動作させて必要な向きや角度に設定されることにより患者の患部を所望の方向から観察できるようにして使用されたり、施術者に把持された状態で使用される。医療用観察装置によって撮像された画像や映像はモニターやディスプレイ等の表示部に映し出される。【０００４】
このような医療用観察装置には被写体を撮像する撮像光学系と撮像光学系によって撮像された被写体の像を光電変換する撮像素子とを備え、撮像光学系が筐体に配置され撮像素子が素子ホルダーに保持され筐体と素子ホルダーが結合されて構成されたものがある（例えば、特許文献１及び特許文献２参照）。
【発明の概要】
【発明が解決しようとする課題】
【０００５】
ところで、医療用観察装置は手術や治療や検査等の施術において用いられるため、施術前にオートクレーブと称される滅菌処理が行われる。オートクレーブは、例えば、１００°Ｃ以上の高温下に１０分程度放置されることにより行われるため、医療用観察装置が高温に耐え得る構成にされている必要があるが、耐熱性を確保するために筐体を金属材料によって形成すると、医療用観察装置の軽量化に支障を来してしまう。特に、医療用観察装置が施術者に把持されて使用される場合には、軽量化を図ることは極めて重要である。【０００６】
従って、撮像光学系が配置される筐体や撮像素子を保持する素子ホルダーはオートクレーブに対応した耐熱性を有すると共に軽量化を図ることが可能な材料によって形成されることが望ましい。【０００７】
一方、撮像素子は素子ホルダーに接着等によって取り付けられて保持されるため、素子ホルダーを接着等に適した材料によって形成して撮像素子の良好な性能を確保する必要もある。【０００８】
そこで、本技術医療用観察装置及び医療用観察装置のレンズ鏡筒は、上記した問題点を克服し、軽量化を図ると共に撮像素子の良好な性能を確保することを目的とする。
【課題を解決するための手段】
【０００９】
第１に、本技術に係る医療用観察装置のレンズ鏡筒は、被写体を撮像する撮像光学系と前記撮像光学系が配置された筐体とを有する鏡筒ユニットと、前記撮像光学系によって撮像された被写体の像を光電変換する撮像素子と前記撮像素子を保持する素子ホルダーとを有する素子ユニットとを備え、前記筐体が樹脂材料によって形成され、前記素子ホルダーが前記筐体と異なる材料によって形成されたものである。【００１０】
これにより、撮像光学系が配置された筐体が樹脂材料によって形成されると共に撮像素子を保持する素子ホルダーが筐体とは異なる材料によって形成される。【００１１】
第２に、上記したレンズ鏡筒においては、前記撮像光学系に少なくとも一つのレンズが設けられ、前記レンズの少なくとも一つを保持し光軸方向へ移動される移動枠が設けられ、前記移動枠が樹脂材料によって形成されることが望ましい。【００１２】
これにより、レンズを保持し光軸方向へ移動される移動枠が樹脂材料によって形成される。【００１３】
第３に、上記した医療用観察装置のレンズ鏡筒においては、前記移動枠の移動に伴って前記移動枠に保持された前記レンズが光軸方向へ移動されてオートフォーカシングが行われることが望ましい。【００１４】
これにより、樹脂材料によって形成された移動枠の移動に伴ってレンズが光軸方向へ移動されてオートフォーカシングが行われる。【００１５】
第４に、上記した医療用観察装置のレンズ鏡筒においては、軸方向が光軸方向にされた駆動軸と、前記駆動軸に平行な状態で配置されたガイド軸とが設けられ、前記移動枠が前記駆動軸と前記ガイド軸に支持され、前記移動枠が前記駆動軸から伝達される駆動力によって前記ガイド軸に案内されて移動されることが望ましい。【００１６】
これにより、移動枠とレンズが駆動軸から伝達される駆動力によって光軸方向へ移動される直動式の駆動が行われる。【００１７】
第５に、上記した医療用観察装置のレンズ鏡筒においては、前記鏡筒ユニットと前記素子ユニットの光軸方向に直交する面内における位置決めを行う少なくとも二つの偏心ピンが設けられ、前記鏡筒ユニットに少なくとも二つのピン挿入穴が形成され、前記素子ユニットに少なくとも二つのピン挿通孔が形成され、前記偏心ピンは一部が前記ピン挿入穴に挿入され他の一部が前記ピン挿通孔に挿通され、前記偏心ピンの少なくとも一つが軸回り方向へ回転されて前記鏡筒ユニットに対する前記素子ユニットの位置が調整され、少なくとも一つの前記ピン挿通孔が長穴状に形成されることが望ましい。【００１８】
これにより、外部環境によって鏡筒ユニット又は素子ユニットが膨張又は収縮され鏡筒ユニットと素子ユニットの一方が他方に対して変位されたときに、外部環境の変化に応じた鏡筒ユニット又は素子ユニットの変位が許容される。【００１９】
第６に、上記した医療用観察装置のレンズ鏡筒においては、前記偏心ピンには前記ピン挿通孔に挿通される挿通軸部と前記ピン挿入穴に挿入され前記挿通軸部に対して偏心された偏心軸部とが設けられ、全ての前記偏心ピンにおいて前記挿通軸部に対する前記偏心軸部の偏心量が同じにされることが望ましい。【００２０】
これにより、全ての偏心ピンとして同一の偏心ピンを用いることが可能になる。【００２１】
第７に、上記した医療用観察装置のレンズ鏡筒においては、前記偏心ピンによる前記鏡筒ユニットと前記素子ユニットの位置決めが行われた状態において、前記鏡筒ユニットと前記素子ユニットが光軸方向において締結用ネジによって結合されることが望ましい。【００２２】
これにより、鏡筒ユニットと素子ユニットが位置決めされた状態が保持された上で締結用ネジによって結合される。【００２３】
第８に、上記した医療用観察装置のレンズ鏡筒においては、前記締結用ネジに前記素子ユニットを前記鏡筒ユニットに押し付ける押さえバネが支持されることが望ましい。【００２４】
これにより、外部環境の変化によって鏡筒ユニット又は素子ユニットが膨張又は収縮されたときに押さえバネが伸縮される。【００２５】
第９に、上記した医療用観察装置のレンズ鏡筒においては、前記鏡筒ユニットに前記締結用ネジが螺合されるネジ穴が形成され、前記素子ユニットに前記締結用ネジが挿通されるネジ挿通孔が形成され、前記ネジ挿通孔の径が前記締結用ネジの径より大きくされることが望ましい。【００２６】
これにより、外部環境によって鏡筒ユニット又は素子ユニットが膨張又は収縮されたときに、締結用ネジがネジ挿通孔に対して相対的に変位される。【００２７】
本技術に係る医療用観察装置は、被写体を撮像する撮像光学系と前記撮像光学系が配置された筐体とを有する鏡筒ユニットと、前記撮像光学系によって撮像された被写体の像を光電変換する撮像素子と前記撮像素子を保持する素子ホルダーとを有する素子ユニットとを備え、前記筐体が樹脂材料によって形成され、前記素子ホルダーが前記筐体と異なる材料によって形成されたものである。【００２８】
これにより、レンズ鏡筒において、撮像光学系が配置された筐体が樹脂材料によって形成されると共に撮像素子を保持する素子ホルダーが筐体とは異なる材料によって形成される。
【発明の効果】
【００２９】
本技術によれば、撮像光学系が配置された筐体が樹脂材料によって形成されると共に撮像素子を保持する素子ホルダーが筐体とは異なる材料によって形成されるため、軽量化を図ることができると共に撮像素子の良好な性能を確保することができる。【００３０】
尚、本明細書に記載された効果はあくまでも例示であって限定されるものではなく、他の効果があってもよい。
【図面の簡単な説明】
【００３１】
【図１】図２乃至図１８と共に本技術医療用観察装置及び医療用観察装置のレンズ鏡筒の実施の形態を示すものであり、本図は、医療用観察装置の分解斜視図である。
【図２】医療用観察装置の断面図である。
【図３】レンズ鏡筒の斜視図である。
【図４】レンズ鏡筒を図３とは異なる方向から見た状態で示す斜視図である。
【図５】鏡筒ユニットと素子ユニットを分離した状態で示すレンズ鏡筒の斜視図である。
【図６】レンズ鏡筒の断面図である。
【図７】移動枠等を示す拡大斜視図である。
【図８】一部を断面にして示す移動枠等の正面図である。
【図９】移動枠にフォーカスレンズが取り付けられた状態を示す正面図である。
【図１０】鏡筒ユニットと素子ユニットが取付体によって結合された状態を示す拡大断面図である。
【図１１】レンズ鏡筒の背面図である。
【図１２】偏心ピンの拡大斜視図である。
【図１３】鏡筒ユニットと素子ユニットの位置決めが行われる前の状態を示す概略背面図である。
【図１４】鏡筒ユニットと素子ユニットの位置決めが行われた状態を示す概略背面図である。
【図１５】鏡筒ユニットと素子ユニットの位置決めが行われ取付体によって鏡筒ユニットと素子ユニットが結合された状態を示す概略背面図である。
【図１６】取付体の拡大斜視図である。
【図１７】膨張又は収縮により鏡筒ユニットに対して素子ユニットが相対的に変位された状態を示す概略背面図である。
【図１８】医療用観察装置の一例を示すブロック図である。
【発明を実施するための形態】
【００３２】
以下に、本技術を実施するための形態を添付図面を参照して説明する。
【００３３】
以下に示す実施の形態に係る医療用観察装置は動画撮影や静止画撮影を行うことができる医療用観察装置であり、レンズと撮像素子を結ぶ方向が光軸方向にされている。
【００３４】
以下の説明にあっては、光軸方向を前後方向とし、光軸方向に直交する所定の各方向を上下方向及び左右方向として方向を示すものとする。また、被写体側を前方とし、被写体の像が取り込まれる方向を後方として説明する。
【００３５】
尚、以下に示す前後上下左右の方向は説明の便宜上のものであり、本技術の実施に関しては、これらの方向に限定されることはない。
【００３６】
また、以下に示すレンズ群は、単数又は複数のレンズにより構成されたものの他、これらの単数又は複数のレンズと絞りやアイリス等の他の光学素子を含んでもよい。
【００３７】
［医療用観察装置の概略構成］
先ず、医療用観察装置の概略構成について説明する（図１及び図２参照）。
【００３８】
医療用観察装置１００は外筐１の内部にレンズ鏡筒２が配置されて構成されている。外筐１はチタン等の金属材料によって形成され、後方に開口された凹状のケース体３と前方に開口された浅い凹状のカバー体４とから成り、ケース体３とカバー体４が前後方向において結合されることにより構成されている。外筐１はレンズ鏡筒２を保護する機能を有する他、施術者が把持する把持部としても機能する。
【００３９】
ケース体３の前端部にはマニュアルフォーカスリング５が回転自在に支持されている。マニュアルフォーカスリング５を手動によって操作することにより、後述する移動枠とフォーカスレンズを光軸方向（前後方向）へ移動させて手動によるマニュアルフォーカシングを行うことが可能にされている。
【００４０】
ケース体３の前端部には図示しないリレーレンズが配置された挿入部６が取り付けられている。挿入部６は患者の患部等に挿入され、挿入部６を介してレンズ鏡筒２によって患部等の画像や映像が撮影される。撮影された画像や映像は図示しないモニターに表示され、施術者はモニターに表示された画像や映像を確認しながら施術を行う。
【００４１】
カバー体４の後面部には挿通孔４ａが形成されている。挿通孔４ａにはレンズ鏡筒２に対する電源の供給やレンズ鏡筒２によって撮像された画像や映像に関する信号を送受信するための図示しないケーブルが挿通される。
【００４２】
［レンズ鏡筒の構成］
レンズ鏡筒２は鏡筒ユニット７と素子ユニット８が前後方向において結合されて成る（図３乃至図６参照）。
【００４３】
鏡筒ユニット７は筐体９と筐体９の内外に配置された後述する複数のレンズを有する撮像光学系等の所要の各部とを有している。筐体９は耐熱性に優れた樹脂材料、例えば、ポリエーテルサルフォン（ＰＥＳ）等によって形成され、カーボンが含有されている。筐体９はフロントキャビネット１０とバックキャビネット１１が前後で結合されることにより構成されている。
【００４４】
フロントキャビネット１０は前後方向を向く板状のベース板部１２とベース板部１２の下端部を除く部分から前方に突出されたレンズ保持部１３とを有し、レンズ保持部１３が前後に貫通された略円筒状に形成されている。
【００４５】
レンズ保持部１３の内部には複数のレンズ１４、１４、・・・が光軸方向（前後方向）に並んで配置され、レンズ１４、１４、・・・がレンズ保持部１３に保持されている。レンズ保持部１３の前端部には絞り１５が保持されている。
【００４６】
バックキャビネット１１は前方及び下方に開口された箱状に形成され、上下方向を向く天面部１６と前後方向を向く後面部１７と左右方向を向く側面部１８、１８と後面部１７の下端部から後方に突出された配置部１９とを有している。配置部１９は下方に開口された箱状に形成されている。
【００４７】
天面部１６の外面と側面部１８、１８の外面にはそれぞれ放熱板２０、２０、・・・が取り付けられている。天面部１６には、例えば、二つの放熱板２０、２０が取り付けられ、側面部１８、１８には、例えば、それぞれ一つずつの放熱板２０、２０が取り付けられている。放熱板２０、２０、・・・からは熱が放出され、温度上昇時において、筐体９の各部における温度上昇がそれぞれ抑制されている。特に、素子ユニット８の駆動時には素子ユニット８の後述する撮像素子からバックキャビネット１１に伝達される熱量が大きく、素子ユニット８の駆動時に放熱板２０、２０、・・・からの放熱により筐体９の各部における温度上昇が抑制されると共に撮像素子の安定した駆動状態が確保される。
【００４８】
尚、筐体９にはカーボンが含有されているため、筐体９における高い伝熱性が確保されると共に筐体９の強度の向上が図られる。
【００４９】
後面部１７の上端側には後方に開口された配置用凹部２１が形成され、配置用凹部２１を形成する部分には前後に貫通された透過孔２２が形成されている。後面部１７の下端寄りの位置には連通孔２３が形成され、連通孔２３によって筐体９における後面部１７の前側の空間である内部空間１１ａと配置部１９の内部の空間とが連通されている。
【００５０】
後面部１７の外周部にはネジ穴２４、２４、２４が形成されている。ネジ穴２４、２４、２４は後方に開口されている。
【００５１】
後面部１７にはそれぞれ後方に開口された第１のピン挿入穴２５と第２のピン挿入穴２６が形成されている。第１のピン挿入穴２５は円形状に形成され、例えば、後面部１７の上端部に位置され、第２のピン挿入穴２６も円形状に形成され、例えば、第１のピン挿入穴２５の下方において後面部１７の一方の側部に位置されている。
【００５２】
バックキャビネット１１の内部空間１１ａには金属材料によって形成されたガイド軸２７、２７が配置されている（図６乃至図８参照）。ガイド軸２７、２７はそれぞれ内部空間１１ａにおける上端部と下端部に配置され、軸方向における両端部がそれぞれレンズ保持部１３と後面部１７に取り付けられている。
【００５３】
バックキャビネット１１の下端部には取付板２８が取り付けられている。取付板２８は上下方向を向き上下に延びる連結面部２８ａと連結面部２８ａの前端部から上方に突出された支持面部２８ｂと連結面部２８ａの後端部から上方に突出された取付面部２８ｃとを有している。取付面部２８ｃは配置部１９の内部における前端部に位置され、支持面部２８ｂは内部空間１１ａにおける前端部に位置されている。
【００５４】
取付板２８には取付面部２８ｃの後面に駆動モーター２９が取り付けられ、駆動モーター２９は、例えば、ステッピングモーターであり、配置部１９に配置されている。駆動モーター２９の駆動軸（出力軸）はリードスクリュー３０として設けられ、リードスクリュー３０は取付面部２８ｃを貫通されて内部空間１１ａに位置され、前端部が支持面部２８ｂに支持されている。リードスクリュー３０は金属材料によって形成されている。
【００５５】
ガイド軸２７、２７には移動枠３１が摺動自在に支持されている。移動枠３１は耐熱性に優れた樹脂材料、例えば、ポリエーテルサルフォン等によって形成され、前後方向を向くレンズ保持部３２とレンズ保持部３２の下端部から後方に突出された連結突部３３と連結突部３３に結合された支持軸部３４と連結突部３３から後方に突出されたスリーブ部３５とを有している。
【００５６】
レンズ保持部３２は下端部を除く部分が環状に形成されている。レンズ保持部３２の環状に形成された部分には、例えば、ガラス材料によって形成されたフォーカスレンズ３６が保持されている。レンズ保持部３２の下端寄りの位置には後方に突出されたバネ支持片３２ａが設けられている。
【００５７】
連結突部３３はレンズ保持部３２から後方に突出された突状部３３ａと突状部３３ａの後端部から側方に突出された結合用突部３３ｂとを有している。
【００５８】
支持軸部３４は前後に延びる丸軸状に形成され、前端部がレンズ保持部３２の下端部に結合され後端部が結合用突部３３ｂに結合されている。
【００５９】
スリーブ部３５は軸方向が前後方向にされた略円筒状に形成され、突状部３３ａから後方に突出されている。
【００６０】
移動枠３１はレンズ保持部３２の上端部とスリーブ部３５がそれぞれガイド軸２７、２７に摺動自在に支持され、ガイド軸２７、２７に案内されてフォーカスレンズ３６と一体になって光軸方向（前後方向）へ移動可能とされている。
【００６１】
フォーカスレンズ３６は接着剤３７、３７、３７によってレンズ保持部３２に取り付けられている（図８及び図９参照）。接着剤３７、３７、３７は弾力性を有し高温においても接着強度が低下し難い材料によって形成されている。接着剤３７、３７、３７が弾力性を有し高温においても接着強度が低下し難い材料によって形成されることにより、レンズ鏡筒２に対して、例えば、１００°Ｃ以上の高温下で１０分程度放置されるオートクレーブが行われた際に、接着剤３７、３７、３７によって移動枠３１とフォーカスレンズ３６の線膨張差が吸収される。従って、レンズ保持部３２に対してフォーカスレンズ３６が高い位置精度で保持されると共に落下等による衝撃の発生時におけるフォーカスレンズ３６の破損やレンズ保持部３２からの脱落を防止することができる。
【００６２】
支持軸部３４には付勢バネ３８とナット部材３９が前後に並んで支持されている（図６及び図７参照）。付勢バネ３８は、例えば、捩じりコイルバネであり、ナット部材３９を後方に付勢すると共にナット部材３９を支持軸部３４の軸回り方向における一方へ付勢する機能を有している。ナット部材３９は耐熱性及び摺動性がともに高い樹脂材料、例えば、ポリブチレンテレフタレート（ＰＢＴ）によって形成され、リードスクリュー３０の螺溝に螺合される図示しない螺合突部を有している。
【００６３】
ナット部材３９は付勢バネ３８によって支持軸部３４の軸回り方向における一方へ付勢されることにより、螺合突部がリードスクリュー３０に側方から押し付けられて螺合される。
【００６４】
このようにナット部材３９は付勢バネ３８の付勢力によって螺合突部がリードスクリュー３０に側方から押し付けられて螺合されるため、振動等が発生した場合においてもリードスクリュー３０に対する螺合突部の螺合が解除され難く、ナット部材３９をリードスクリュー３０に確実に螺合することができる。
【００６５】
また、ガイド軸２７、２７とリードスクリュー３０が金属材料によって形成され移動枠３１とナット部材３９が樹脂材料によって形成されているため、ガイド軸２７、２７に対する移動枠３１の良好な摺動性が確保されると共にリードスクリュー３０が回転されたときのリードスクリュー３０に対するナット部材３９の良好な摺動性が確保される。
【００６６】
従って、移動枠３１とフォーカスレンズ３６を光軸方向へ円滑かつ確実に移動させることができる。
【００６７】
さらに、オートクレーブが行われたときには金属材料によって形成されたリードスクリュー３０と樹脂材料によって形成されたナット部材３９との線膨張率の相違により螺合突部のリードスクリュー３０に対する位置が変化される可能性があるが、この場合においてもナット部材３９は付勢バネ３８の付勢力によって螺合突部がリードスクリュー３０に側方から押し付けられて螺合されるため、ナット部材３９のリードスクリュー３０に対する良好な螺合状態を確保することができる。
【００６８】
さらにまた、ナット部材３９は付勢バネ３８によって後方へ付勢されることにより、リードスクリュー３０の螺溝に螺合突部がリードスクリュー３０の軸方向から押し当てられて螺合される。従って、バックラッシの発生を抑制することができる。
【００６９】
駆動モーター２９の駆動力によってリードスクリュー３０が回転されると、リードスクリュー３０の回転方向に応じた方向へナット部材３９が送られて移動枠３１がガイド軸２７、２７に案内されてフォーカスレンズ３６と一体になって前方又は後方へ移動され、オートフォーカシングが行われる。
【００７０】
上記したように、レンズ鏡筒２にあっては、フォーカスレンズ３６を保持し光軸方向へ移動される移動枠３１が樹脂材料によって形成されているため、移動枠３１が軽量化され移動枠３１の円滑な移動及びレンズ鏡筒２の軽量化を図ることができる。
【００７１】
また、移動枠３１の移動に伴ってフォーカスレンズ３６が光軸方向へ移動されてオートフォーカシングが行われ、軽量化された移動枠３１が移動されてオートフォーカシングが行われるため、オートフォーカシングの動作速度が向上しフォーカシング動作における応答性の向上及びフォーカシング精度の向上を図ることができる。
【００７２】
さらに、移動枠３１が駆動軸であるリードスクリュー３０とガイド軸２７、２７に支持され、移動枠３１とフォーカスレンズ３６がリードスクリュー３０から伝達される駆動力によってガイド軸２７、２７に案内されて移動される。
【００７３】
従って、移動枠３１とフォーカスレンズ３６がリードスクリュー３０から伝達される駆動力によって光軸方向へ移動される直動式の駆動が行われ、簡素な構成によって移動枠３１とフォーカスレンズ３６が移動されレンズ鏡筒２の軽量化及び製造コストの低減を図ることができる。
【００７４】
移動枠３１が筐体９の内部に配置された状態においては、移動枠３１におけるスリーブ部３５の一部を除いた部分が内部空間１１ａに位置され、スリーブ部３５の一部と駆動モーター２９が配置部１９の内部に位置される（図６参照）。配置部１９はバックキャビネット１１における後面部１７の下端部から後方に突出された部分であり、配置部１９の上側で後面部１７の後側には配置空間４０が形成され、配置空間４０には後述するように素子ユニット８と基板等が配置される。
【００７５】
このように配置空間４０はレンズ鏡筒２に必要な構成である素子ユニット８等が配置される空間であり、配置空間４０の下側に配置部１９を設けて配置部１９の内部にスリーブ部３５の一部と駆動モーター２９を位置させることにより、スペース効率の有効化が図られ、レンズ鏡筒２の小型化を図ることができる。
【００７６】
また、フロントキャビネット１０より後側にスリーブ部３５の一部と駆動モーター２９を位置させることにより、フロントキャビネット１０に回転自在に支持されたマニュアルフォーカスリング５と駆動モーター２９等との干渉が回避され、マニュアルフォーカスリング５の良好な操作性を確保した上でレンズ鏡筒２の小型化を図ることができる。
【００７７】
さらに、レンズ鏡筒２の小型化を図ることができるため医療用観察装置１００の全体の小型化を図ることも可能であり、施術者が外筐１を把持して医療用観察装置１００を使用した際に医療用観察装置１００を掴み易く、医療用観察装置１００に対する把持性の向上を図ることもできる。
【００７８】
尚、レンズ鏡筒２にあっては、素子ユニット８の下側にスリーブ部３５と駆動モーター２９が位置される構成にされているため、移動枠３１が縦長の形状に形成され（図８及び図９参照）、移動枠３１の重量バランスが低下するおそれがあるが、ナット部材３９は付勢バネ３８の付勢力によって螺合突部がリードスクリュー３０に側方から押し付けられて螺合されるため、リードスクリュー３０に対する螺合突部の螺合が解除され難く、ナット部材３９のリードスクリュー３０に対する良好な螺合状態を確保することができる。
【００７９】
素子ユニット８はバックキャビネット１１における後面部１７に取り付けられ、配置空間４０に配置されている（図３乃至図６参照）。
【００８０】
素子ユニット８は樹脂材料によって形成された素子ホルダー４１と素子ホルダー４１に接着等によって取り付けられて保持された撮像素子４２とを有している（図５、図１０及び図１１参照）。
【００８１】
素子ホルダー４１は鏡筒ユニット７の筐体９とは異なる樹脂材料、例えば、機械的強度に優れ耐熱性の高いエポキシ樹脂によって形成されている。従って、素子ホルダー４１と筐体９は線膨張率が異なるようにされている。素子ホルダー４１は略矩形の枠状に形成され、内側の空間が透孔４１ａとして形成されている。
【００８２】
撮像素子４２は矩形状に形成され、素子ホルダー４１の後面に透孔４１ａを後方から覆う状態で、例えば、エポキシ系の接着剤によって取り付けられている。
【００８３】
撮像素子４２の前面には略矩形の枠状に形成されたシールゴム４３が取り付けられ、シールゴム４３の前面には赤外線カットフィルター４４が取り付けられている。シールゴム４３は一部が透孔４１ａを挿通された状態で撮像素子４２に取り付けられ、シールゴム４３によって撮像素子４２に対する塵埃等の付着が防止されている。赤外線カットフィルター４４はバックキャビネット１１の後面部１７に形成された透過孔２２の直ぐ後側に位置されている。
【００８４】
撮像素子４２の後面には基板４５が、例えば、リフローによって接合されている（図６参照）。基板４５としては、例えば、剛性の高い２枚のリジッド基板がその間に折り返された状態で配置されたフレキシブル配線板によって接続された構成にされている。
【００８５】
基板４５にはフレキシブルプリント配線板４６が接続されている。フレキシブルプリント配線板４６は各部が折り曲げられて構成され（図３、図４及び図６参照）、各一部が配置部１９の後面やフロントキャビネット１０におけるレンズ保持部１３の下面等に取り付けられ、各部分が所要の各部分にそれぞれ接続されている。フレキシブルプリント配線板４６は一部が配置空間４０において折り返された状態で配置され、折り返された部分の先端部が基板４５に接続されている。
【００８６】
フレキシブルプリント配線板４６には、外筐１のカバー体４に形成された挿通孔４ａを挿通されたケーブルが接続され、外部電源からケーブル及びフレキシブルプリント配線板４６を介して各部への電力の供給等が行われる。
【００８７】
上記のように、素子ユニット８においては基板４５が撮像素子４２にリフローによって接合されている。従って、素子ユニット８はリフロー炉において高温下に晒されるが、素子ホルダー４１が耐熱性の高い樹脂材料によって形成されているため、リフローに対して十分に適応され、素子ホルダー４１の変形等を来すことなく基板４５の撮像素子４２に対する良好な接合状態を確保することができる。
【００８８】
また、素子ホルダー４１に対する撮像素子４２の取付に用いられるエポキシ系の接着剤も高い耐熱性を有するため、リフローが行われた際においても撮像素子４２の素子ホルダー４１からの剥がれが発生することがなく、素子ホルダー４１に対する撮像素子４２の接着による良好な取付状態を確保することができる。
【００８９】
さらに、素子ホルダー４１は撮像素子４２の取付に用いられるエポキシ系の接着剤との適合性が高い樹脂材料によって形成されているため、エポキシ系の接着剤による高い接着強度が得られ、素子ホルダー４１に対する撮像素子４２の良好な接着状態を確保することもできる。
【００９０】
素子ホルダー４１には何れも前後に貫通された第１のピン挿通孔４７と第２のピン挿通孔４８が形成されている（図５参照）。第１のピン挿通孔４７は円形状に形成され、例えば、上端部の左右方向における中央部に位置され、第２のピン挿通孔４８は長円状に形成され、例えば、第１のピン挿通孔４７の下方において一方の側部に位置されている。第２のピン挿通孔４８は長手方向が第１のピン挿通孔４７と第２のピン挿通孔４８を結ぶ方向にされている。
【００９１】
第１のピン挿通孔４７の径はバックキャビネット１１の後面部１７に形成された第１のピン挿入穴２５の径より大きくされ、第２のピン挿通孔４８の径（幅）はバックキャビネット１１の後面部１７に形成された第２のピン挿入穴２６の径より大きくされている。
【００９２】
素子ホルダー４１には後方に開口された接着剤溜凹部４９、４９が形成され、接着剤溜凹部４９、４９はそれぞれ第１のピン挿通孔４７と第２のピン挿通孔４８に連続して位置されている。
【００９３】
素子ホルダー４１の外周部には前後に貫通されたネジ挿通孔５０、５０、５０が形成されている。
【００９４】
素子ユニット８は鏡筒ユニット７に第１の偏心ピン５１と第２の偏心ピン５２によって位置調整されることにより結合される。
【００９５】
第１の偏心ピン５１は、図１２に示すように、前後に延びる円柱状の挿通軸部５３と挿通軸部５３の前面から前方に突出された偏心軸部５４と挿通軸部５３の後面から後方に突出された被操作部５５とから成り、被操作部５５には操作用スリット５５ａが形成されている。偏心軸部５４は挿通軸部５３に対して偏心した位置にあり、偏心軸部５４の中心軸が挿通軸部５３の中心軸に対してずれている。
【００９６】
第１の偏心ピン５１は後方から挿通軸部５３が第１のピン挿通孔４７に挿通され後方から偏心軸部５４が第１のピン挿入穴２５に挿入される（図１３参照）。尚、図１３、図１４、図１５及び図１７の各図には、説明の理解を容易にするために、ネジ穴２４とネジ挿通孔５０の位置等を大きくずれた状態で誇張して示している。挿通軸部５３と偏心軸部５４はそれぞれ第１のピン挿通孔４７と第１のピン挿入穴２５に回転可能な状態で嵌合される。
【００９７】
第２の偏心ピン５２は、図１２に示すように、前後に延びる円柱状の挿通軸部５６と挿通軸部５６の前面から前方に突出された偏心軸部５７と挿通軸部５６の後面から後方に突出された被操作部５８とから成り、被操作部５８には操作用スリット５８ａが形成されている。偏心軸部５７は挿通軸部５６に対して偏心した位置にあり、偏心軸部５７の中心軸が挿通軸部５６の中心軸に対してずれている。
【００９８】
第１の偏心ピン５１の挿通軸部５３に対する偏心軸部５４の偏心量と第２の偏心ピン５２の挿通軸部５６に対する偏心軸部５７の偏心量とは同じにされている。
【００９９】
第２の偏心ピン５２は後方から挿通軸部５６が第２のピン挿通孔４８に挿通され後方から偏心軸部５７が第２のピン挿入穴２６に挿入される（図１３参照）。挿通軸部５６は第２のピン挿通孔４８に回転可能な状態で挿通され、偏心軸部５７は第２のピン挿入穴２６に回転可能な状態で嵌合される。
【０１００】
第１の偏心ピン５１が第１のピン挿通孔４７と第１のピン挿入穴２５に挿入されると共に第２の偏心ピン５２が第２のピン挿通孔４８と第２のピン挿入穴２６に挿入された状態において、第１の偏心ピン５１又は第２の偏心ピン５２が回転されることにより鏡筒ユニット７に対する素子ユニット８の位置調整が行われる（図１４参照）。第１の偏心ピン５１と第２の偏心ピン５２の回転はそれぞれ操作用スリット５５ａ、５８ａに挿入される図示しないドライバー等の治具が回転されることにより行われる。
【０１０１】
鏡筒ユニット７に対する素子ユニット８の位置調整は鏡筒ユニット７における撮像光学系の光軸と素子ユニット８における撮像素子４２の中心（中央）とが一致されることにより行われ、モニターに表示される鏡筒ユニット７の位置と素子ユニット８の位置を観察しながら行われる。
【０１０２】
例えば、第１の偏心ピン５１が回転されると、挿通軸部５３が偏心軸部５４を支点として偏心した状態で回転され、第１のピン挿入穴２５に対する第１のピン挿通孔４７の位置が変化されて鏡筒ユニット７に対する素子ユニット８の位置が変化される。このとき第１の偏心ピン５１の回転に伴って第２の偏心ピン５２が偏心軸部５７を支点として回転される。
【０１０３】
一方、第２の偏心ピン５２が回転されると、挿通軸部５６が偏心軸部５７を支点として偏心した状態で回転され、第２のピン挿入穴２６に対する第２のピン挿通孔４８の位置が変化されて鏡筒ユニット７に対する素子ユニット８の位置が変化される。このとき第２の偏心ピン５２の回転に伴って第１の偏心ピン５１が偏心軸部５４を支点として回転される。
【０１０４】
このように第１の偏心ピン５１又は第２の偏心ピン５２を回転させて鏡筒ユニット７に対する素子ユニット８の位置を変化させ、撮像光学系の光軸と撮像素子４２の中心とを一致させることにより鏡筒ユニット７に対する素子ユニット８の位置調整を終了する。
【０１０５】
上記した鏡筒ユニット７と素子ユニット８の位置調整においては、挿通軸部５３に対する偏心軸部５４の偏心量と挿通軸部５６に対する偏心軸部５７の偏心量とが同じにされた第１の偏心ピン５１と第２の偏心ピン５２が用いられている。
【０１０６】
従って、第１の偏心ピン５１と第２の偏心ピン５２として同一の偏心ピンを用いればよく、鏡筒ユニット７と素子ユニット８の位置調整を容易に行うことができると共にレンズ鏡筒２の製造コストの低減を図ることができる。
【０１０７】
また、鏡筒ユニット７と素子ユニット８の位置調整が行われるため、撮像光学系と撮像素子４２の位置ずれを考慮して撮像素子４２の有効撮像範囲に対して予め撮像素子４２における結像範囲を小さく設定する必要がないと共に結像範囲が有効撮像範囲からはみ出してしまうことがなく、撮像素子４２の有効撮像範囲の全体を使用して画質の向上を図ることができる。
【０１０８】
鏡筒ユニット７に対する素子ユニット８の位置調整が終了されると、鏡筒ユニット７と素子ユニット８が取付体５９、５９、５９によって結合される（図１０、図１１及び図１５参照）。
【０１０９】
鏡筒ユニット７と素子ユニット８が取付体５９、５９、５９によって結合されると、接着剤溜凹部４９、４９にそれぞれ図示しない接着剤が塗布されて第１の偏心ピン５１と第２の偏心ピン５２が素子ホルダー４１に固定される。接着剤溜凹部４９、４９に塗布された接着剤によって第１の偏心ピン５１と第２の偏心ピン５２が素子ホルダー４１に固定されることにより、第１の偏心ピン５１と第２の偏心ピン５２の素子ホルダー４１からの脱落が防止される。
【０１１０】
尚、接着剤溜凹部４９、４９に塗布される接着剤は弾性に富む接着剤であり、素子ホルダー４１が第１の偏心ピン５１と第２の偏心ピン５２に対して一定の範囲で移動されたときに伸縮され、第１の偏心ピン５１と第２の偏心ピン５２の素子ホルダー４１との接着状態が解除されないようにされている。
【０１１１】
取付体５９は締結用ネジ６０と押さえ板６１と押さえバネ６２によって構成されている（図１６参照）。
【０１１２】
締結用ネジ６０は回転操作用の溝を有する頭部６０ａと頭部６０ａから突出された螺軸部６０ｂとから成る。螺軸部６０ｂは素子ホルダー４１のネジ挿通孔５０に挿通されるが、ネジ挿通孔５０の径は螺軸部６０ｂの径より大きくされている。
【０１１３】
押さえ板６１はリング状に形成され、押さえ板６１には締結用ネジ６０の螺軸部６０ｂが挿通されている。従って、押さえ板６１は螺軸部６０ｂに対して螺軸部６０ｂの軸方向に移動可能にされている。
【０１１４】
押さえバネ６２は、例えば、ワッシャ状のバネであり、螺軸部６０ｂに支持された状態で締結用ネジ６０の頭部６０ａと押さえ板６１の間に配置されている。押さえバネ６２は螺軸部６０ｂの軸方向において押さえ板６１を頭部６０ａから離隔する方向へ付勢する機能を有している。
【０１１５】
取付体５９、５９、５９は、図１０に示すように、それぞれ締結用ネジ６０、６０、６０の螺軸部６０ｂ、６０ｂ、６０ｂが素子ホルダー４１のネジ挿通孔５０、５０、５０に後方から挿入されバックキャビネット１１の後面部１７に形成されたネジ穴２４、２４、２４に螺合される。螺軸部６０ｂがネジ穴２４に螺合されることにより、鏡筒ユニット７と素子ユニット８が位置決めされた状態で結合され素子ホルダー４１の前面の一部が後面部７の後面の一部に接した状態にされる。鏡筒ユニット７と素子ユニット８が結合された状態においては、後面部１７の配置用凹部２１に素子ユニット８の一部が配置される。
【０１１６】
尚、鏡筒ユニット７と素子ユニット８が位置決めされた状態においては、ネジ挿通孔５０、５０、５０とネジ穴２４、２４、２４の位置が光軸方向に直交する面内においてずれている可能性があるが、締結用ネジ６０はタッピングネジとして設けられている。従って、ネジ挿通孔５０、５０、５０とネジ穴２４、２４、２４の位置がずれている場合であっても、締結用ネジ６０が後面部１７にねじ込まれていくため、鏡筒ユニット７と素子ユニット８の位置関係を変化させることなく鏡筒ユニット７と素子ユニット８を結合することができる。
【０１１７】
このように締結用ネジ６０がタッピングネジとして設けられ後面部１７にねじ込まれていく構成にされているため、後面部１７には予めネジ穴２４を形成せずに締結用ネジ６０が後面部１７にねじ込まれていくことによりネジ穴２４が形成されるようにしてもよく、また、後面部１７に予め螺軸部６０ｂより径の小さい穴を形成しておき締結用ネジ６０が径の小さい穴にねじ込まれていくことによりネジ穴２４が形成されるようにしてもよい。
【０１１８】
上記したように、レンズ鏡筒２にあっては、第１の偏心ピン５１と第２の偏心ピン５２による鏡筒ユニット７と素子ユニット８の位置決めが行われた状態において、鏡筒ユニット７と素子ユニット８が光軸方向において締結用ネジ６０、６０、６０によって結合される。
【０１１９】
従って、鏡筒ユニット７と素子ユニット８が位置決めされた状態が保持された上で締結用ネジ６０、６０、６０によって結合され、位置決めされた状態において鏡筒ユニット７と素子ユニット８の分離を防止することができる。
【０１２０】
鏡筒ユニット７と素子ユニット８が取付体５９、５９、５９によって結合された状態においては、押さえ板６１、６１、６１が素子ホルダー４１の後面に接した状態にされている。押さえ板６１は押さえバネ６２によって頭部６０ａから離隔する方向へ付勢されているため、素子ホルダー４１が押さえ板６１によって後方から押さえられ、素子ホルダー４１が後面部１７に密着される。
【０１２１】
このときオートクレーブ等により外部環境の変化が生じ、筐体９と素子ホルダー４１が前後方向において膨張又は収縮される場合があるが、この場合には押さえバネ６２が弾性変形され膨張又は収縮による筐体９又は素子ホルダー４１の寸法の変化量が吸収され、鏡筒ユニット７と素子ユニット８の良好な結合状態が保持される。
【０１２２】
このように締結用ネジ６０には素子ユニット８を鏡筒ユニット７に押し付ける押さえバネ６２が支持されているため、締結用ネジ６０によって鏡筒ユニット７と素子ユニット８が結合された状態において押さえバネ６２によって素子ユニット８が鏡筒ユニット７に押し付けられる。
【０１２３】
従って、外部環境の変化によって鏡筒ユニット７又は素子ユニット８が膨張又は収縮されたときに押さえバネ６２が伸縮され、鏡筒ユニット７又は素子ユニット８が膨張又は収縮された状態においても両者の良好な結合状態を確保することができる。
【０１２４】
また、オートクレーブ等により外部環境の変化が生じたときには、筐体９と素子ホルダー４１が光軸方向に直交する面内においても膨張又は収縮される場合があり、この場合には筐体９と素子ホルダー４１の線膨張率の相違により鏡筒ユニット７に対して素子ユニット８が光軸方向に直交する面内において相対的に変位される（図１７参照）。
【０１２５】
このとき素子ユニット８は第１の偏心ピン５１の偏心軸部５４を基準にして鏡筒ユニット７に対して相対的に変位され、第２の偏心ピン５２の挿通軸部５６に対して長穴状の第２のピン挿通孔４８の位置が変化される。このように第２のピン挿通孔４８が長穴状に形成されているため、鏡筒ユニット７に対する素子ユニット８の相対的な変位が許容される。
【０１２６】
従って、外部環境によって鏡筒ユニット７又は素子ユニット８が膨張又は収縮され鏡筒ユニット７と素子ユニット８の一方が他方に対して変位されたときに、外部環境の変化に応じた鏡筒ユニット７又は素子ユニット８の変位が許容され、鏡筒ユニット７と素子ユニット８の歪みや変形を防止することができる。
【０１２７】
また、鏡筒ユニット７と素子ユニット８の変位が許容されるため、筐体９と素子ホルダー４１をそれぞれ必要な性能を確保するための最適な材料によって形成することができ、鏡筒ユニット７と素子ユニット８の機能性の向上を図ることができると共に良好な性能を確保することができる。
【０１２８】
さらに、筐体９と素子ホルダー４１を耐熱性や強度やコスト等を考慮した最適な材料によって形成することが可能であるため、鏡筒ユニット７と素子ユニット８の機能性の向上を図った上でレンズ鏡筒２の製造コストの低減を図ることができる。
【０１２９】
尚、レンズ鏡筒２にあっては、上記したように、長穴状の第２のピン挿通孔４８の長手方向が第１のピン挿通孔４７と第２のピン挿通孔４８を結ぶ方向にされている。従って、第１のピン挿通孔４７に挿入された第１の偏心ピン５１の偏心軸部５４を基準にして素子ユニット８が鏡筒ユニット７に対して相対的に変位されたときに、第２の偏心ピン５２の挿通軸部５６が素子ユニット８の変位の妨げになり難く、素子ユニット８を鏡筒ユニット７に対して円滑に変位させることができる。
【０１３０】
上記したように、素子ホルダー４１のネジ挿通孔５０、５０、５０の径はそれぞれ締結用ネジ６０、６０、６０の螺軸部６０ｂ、６０ｂ、６０ｂの径より大きくされている。
【０１３１】
このようにネジ挿通孔５０の径が螺軸部６０ｂの径より大きくされているため、上記のように、外部環境によって鏡筒ユニット７又は素子ユニット８が光軸方向に直交する方向において膨張又は収縮されたときには、螺軸部６０ｂがネジ挿通孔５０に対して相対的に変位され、相対的に変位される素子ユニット８に螺軸部６０ｂが干渉することがない。
【０１３２】
従って、鏡筒ユニット７と素子ユニット８の良好な結合状態を確保した上で鏡筒ユニット７と素子ユニット８の相対的な変位が許容され、鏡筒ユニット７と素子ユニット８の歪みや変形を防止することができる。
【０１３３】
オートクレーブ等が終了し外部環境が元の環境に戻ったときには膨張又は収縮されていた鏡筒ユニット７と素子ユニット８が元の状態に戻り、鏡筒ユニット７と素子ユニット８が外部環境の変化前の位置決めされた元の状態に復帰される。
【０１３４】
以上に記載した通り、レンズ鏡筒２にあっては、鏡筒ユニット７の筐体９が樹脂材料によって形成され、素子ユニット８の素子ホルダー４１が筐体９と異なる材料によって形成されている。
【０１３５】
従って、撮像光学系が配置された筐体９が樹脂材料によって形成されると共に撮像素子４２を保持する素子ホルダー４１が筐体９とは異なる材料によって形成されるため、軽量化を図ることができると共に撮像素子４２の良好な性能を確保することができる。
【０１３６】
特に、医療用観察装置１００は施術者に把持されて使用されるため、軽量化により施術者における使い勝手の向上を図ることができる。
【０１３７】
また、筐体９と素子ホルダー４１がともに樹脂材料によって形成されているため、金属材料よりも所望の形状に形成し易く、設計の自由度の向上を図ることができると共に筐体９を筐体９の内部に位置される構造に応じた必要最小限の大きさ及び形状に形成することが可能になり小型化を図ることもできる。
【０１３８】
さらに、筐体９と素子ホルダー４１がともに樹脂材料によって形成されるため、製造コストの低減を図ることができる。
【０１３９】
［医療用観察装置の一実施形態］
図１８に、本技術医療用観察装置の一実施形態のブロック図を示す。
【０１４０】
医療用観察装置１００は、撮像機能を担うレンズ鏡筒８０（レンズ鏡筒２）と、撮影された画像信号のアナログ−デジタル変換等の信号処理を行うカメラ信号処理部８１と、画像信号の記録再生処理を行う画像処理部８２とを有している。また、医療用観察装置１００は、撮影された画像等を表示する表示部８３と、メモリー９０への画像信号の書込及び読出を行うＲ／Ｗ（リーダ／ライタ）８４と、医療用観察装置１００の全体を制御するＣＰＵ（Central Processing Unit）８５と、ユーザーによって所要の操作が行われる各種のスイッチ等の入力操作部８６と、レンズ鏡筒８０に配置されたレンズの駆動を制御するレンズ駆動制御部８７とを備えている。
【０１４１】
レンズ鏡筒８０は、レンズ群８８（レンズ１４、１４、・・・及びフォーカスレンズ３６）を含む撮像光学系や、ＣＣＤ（Charge Coupled Device）やＣＭＯＳ（Complementary
Metal-Oxide Semiconductor）等の撮像素子８９（撮像素子４２）等とによって構成されている。
【０１４２】
カメラ信号処理部８１は、撮像素子８９からの出力信号に対するデジタル信号への変換、ノイズ除去、画質補正、輝度・色差信号への変換等の各種の信号処理を行う。
【０１４３】
画像処理部８２は、所定の画像データーフォーマットに基づく画像信号の圧縮符号化・伸張復号化処理や解像度等のデーター仕様の変換処理等を行う。
【０１４４】
表示部８３はユーザーの入力操作部８６に対する操作状態や撮影した画像等の各種のデーターを表示する機能を有している。尚、医療用観察装置１００においては、表示部８３が設けられていなくてもよく、撮影された画像データがモニター等の他の表示部に送出されて画像が表示されるように構成されていてもよい。
【０１４５】
Ｒ／Ｗ８４は、画像処理部８２によって符号化された画像データーのメモリー９０への書込及びメモリー９０に記録された画像データーの読出を行う。
【０１４６】
ＣＰＵ８５は、医療用観察装置１００に設けられた各回路ブロックを制御する制御処理部として機能し、入力操作部８６からの指示入力信号等に基づいて各回路ブロックを制御する。
【０１４７】
入力操作部８６はユーザーによる操作に応じた指示入力信号をＣＰＵ８５に対して出力する。
【０１４８】
レンズ駆動制御部８７は、ＣＰＵ８５からの制御信号に基づいてレンズ群８８のレンズ（フォーカスレンズ３６）を駆動する駆動源（駆動モーター２９）を制御する。
【０１４９】
メモリー９０は、例えば、Ｒ／Ｗ８４に接続されたスロットに対して着脱可能な半導体メモリーである。
【０１５０】
以下に、医療用観察装置１００における動作を説明する。
【０１５１】
撮影の待機状態では、ＣＰＵ８５による制御の下で、レンズ鏡筒８０において撮影された画像信号が、カメラ信号処理部８１を介して表示部８３に出力され、カメラスルー画像として表示される。また、入力操作部８６からのフォーカシングのための指示入力信号が入力されると、ＣＰＵ８５がレンズ駆動制御部８７に制御信号を出力し、レンズ駆動制御部８７の制御に基づいてレンズ群８８の所定のレンズが移動される。
【０１５２】
入力操作部８６からの指示入力信号により撮影が行われると、撮影された画像信号がカメラ信号処理部８１から画像処理部８２に出力されて圧縮符号化処理され、所定のデーターフォーマットのデジタルデーターに変換される。変換されたデーターはＲ／Ｗ８４に出力され、メモリー９０に書き込まれる。
【０１５３】
フォーカシングはＣＰＵ８５からの制御信号に基づいてレンズ駆動制御部８７がレンズ群８８のフォーカスレンズ３６を移動させることにより行われる。
【０１５４】
メモリー９０に記録された画像データーを再生する場合には、入力操作部８６に対する操作に応じて、Ｒ／Ｗ８４によってメモリー９０から所定の画像データーが読み出され、画像処理部８２によって伸張復号化処理が行われた後に、再生画像信号が表示部８３に出力されて再生画像が表示される。
【０１５５】
［本技術］
本技術は、以下のような構成にすることもできる。
【０１５６】
（１）
被写体を撮像する撮像光学系と前記撮像光学系が配置された筐体とを有する鏡筒ユニットと、
前記撮像光学系によって撮像された被写体の像を光電変換する撮像素子と前記撮像素子を保持する素子ホルダーとを有する素子ユニットとを備え、
前記筐体が樹脂材料によって形成され、
前記素子ホルダーが前記筐体と異なる材料によって形成された
医療用観察装置のレンズ鏡筒。
【０１５７】
（２）
前記撮像光学系に少なくとも一つのレンズが設けられ、
前記レンズの少なくとも一つを保持し光軸方向へ移動される移動枠が設けられ、
前記移動枠が樹脂材料によって形成された
前記（１）に記載の医療用観察装置のレンズ鏡筒。
【０１５８】
（３）
前記移動枠の移動に伴って前記移動枠に保持された前記レンズが光軸方向へ移動されてオートフォーカシングが行われる
前記（２）に記載の医療用観察装置のレンズ鏡筒。
【０１５９】
（４）
軸方向が光軸方向にされた駆動軸と、
前記駆動軸に平行な状態で配置されたガイド軸とが設けられ、
前記移動枠が前記駆動軸と前記ガイド軸に支持され、
前記移動枠が前記駆動軸から伝達される駆動力によって前記ガイド軸に案内されて移動される
前記（１）又は前記（２）に記載の医療用観察装置のレンズ鏡筒。
【０１６０】
（５）
前記鏡筒ユニットと前記素子ユニットの光軸方向に直交する面内における位置決めを行う少なくとも二つの偏心ピンが設けられ、
前記鏡筒ユニットに少なくとも二つのピン挿入穴が形成され、
前記素子ユニットに少なくとも二つのピン挿通孔が形成され、
前記偏心ピンは一部が前記ピン挿入穴に挿入され他の一部が前記ピン挿通孔に挿通され、
前記偏心ピンの少なくとも一つが軸回り方向へ回転されて前記鏡筒ユニットに対する前記素子ユニットの位置が調整され、
少なくとも一つの前記ピン挿通孔が長穴状に形成された
前記（１）から前記（４）の何れかに記載の医療用観察装置のレンズ鏡筒。
【０１６１】
（６）
前記偏心ピンには前記ピン挿通孔に挿通される挿通軸部と前記ピン挿入穴に挿入され前記挿通軸部に対して偏心された偏心軸部とが設けられ、
全ての前記偏心ピンにおいて前記挿通軸部に対する前記偏心軸部の偏心量が同じにされた
前記（５）に記載の医療用観察装置のレンズ鏡筒。
【０１６２】
（７）
前記偏心ピンによる前記鏡筒ユニットと前記素子ユニットの位置決めが行われた状態において、
前記鏡筒ユニットと前記素子ユニットが光軸方向において締結用ネジによって結合された
前記（５）又は前記（６）に記載の医療用観察装置のレンズ鏡筒。
【０１６３】
（８）
前記締結用ネジに前記素子ユニットを前記鏡筒ユニットに押し付ける押さえバネが支持された
前記（７）に記載の医療用観察装置のレンズ鏡筒。
【０１６４】
（９）
前記鏡筒ユニットに前記締結用ネジが螺合されるネジ穴が形成され、
前記素子ユニットに前記締結用ネジが挿通されるネジ挿通孔が形成され、
前記ネジ挿通孔の径が前記締結用ネジの径より大きくされた
前記（８）に記載の医療用観察装置のレンズ鏡筒。
【０１６５】
（１０）
被写体を撮像する撮像光学系と前記撮像光学系が配置された筐体とを有する鏡筒ユニットと、
前記撮像光学系によって撮像された被写体の像を光電変換する撮像素子と前記撮像素子を保持する素子ホルダーとを有する素子ユニットとを備え、
前記筐体が樹脂材料によって形成され、
前記素子ホルダーが前記筐体と異なる材料によって形成された
医療用観察装置。
【符号の説明】
【０１６６】
１００…医療用観察装置、２…レンズ鏡筒、７…鏡筒ユニット、８…素子ユニット、９…筐体、１４…レンズ、２４…ネジ穴、２５…第１のピン挿入穴、２６…第２のピン挿入穴、２７…ガイド軸、３０…リードスクリュー（駆動軸）、３１…移動枠、３６…フォーカスレンズ、４１…素子ホルダー、４２…撮像素子、４７…第１のピン挿通孔、４８…第２のピン挿通孔、５０…ネジ挿通孔、５１…第１の偏心ピン、５２…第２の偏心ピン、５３…挿通軸部、５４…偏心軸部、５６…挿通軸部、５７…偏心軸部、６０…締結用ネジ、６２…押さえバネ、８０…レンズ鏡筒、８９…撮像素子
【図１】
2016132656.tif 000003
【図２】
2016132656.tif 000004
【図３】
2016132656.tif 000005
【図４】
2016132656.tif 000006
【図５】
2016132656.tif 000007
【図６】
2016132656.tif 000008
【図７】
2016132656.tif 000009
【図８】
2016132656.tif 000010
【図９】
2016132656.tif 000011
【図１０】
2016132656.tif 000012
【図１１】
2016132656.tif 000013
【図１２】
2016132656.tif 000014
【図１３】
2016132656.tif 000015
【図１４】
2016132656.tif 000016
【図１５】
2016132656.tif 000017
【図１６】
2016132656.tif 000018
【図１７】
2016132656.tif 000019
【図１８】
2016132656.tif 000020
【国際調査報告】
2016132656.tif 000021
2016132656.tif 000022
2016132656.tif 000023
2016132656.tif 000024